(57)【要約】【課題】  燃焼効率を向上させるために、水と油をトルネード方式によって混合してロータリ回転機からの圧縮空気と混合させるようにしたトルネード旋回流を用いたバーナ燃焼装置を提供する。【解決手段】  ロータリ回転機２からの圧縮空気はバーナ４側に送られ、一方、この圧縮空気によって水及び油タンク３から圧出される水と油はトルネード機構部１により混合されて微細化されてバーナ４に送られ、圧縮空気と混合して火災となる。【選択図】  図１
0003139315.tif 000002
【実用新案登録請求の範囲】
【請求項１】
ロータリ回転機による圧縮空気とこれによって圧出される油と水とを混合してバーナ側に送って燃焼させるバーナ燃焼装置であって、該装置は、前記油と水とをトルネード機構部を介して混合して前記圧縮空気と混合することを特徴とするトルネード旋回流を用いたバーナ燃焼装置。
【請求項２】
前記トルネード機構部が、円筒体の外周に螺旋溝を形成し、該溝に水と油とを導入して混合するものからなることを特徴とする請求項１に記載のトルネード旋回流を用いたバーナ燃焼装置。
【考案の詳細な説明】
【技術分野】
【０００１】
本考案は、ロータリ回転機からの圧縮空気にトルネード機構部を介して混合した水と油とを混合してバーナにより燃焼させるトルネード旋回流を用いたバーナ燃焼装置に関する。
【背景技術】
【０００２】
一般に使用されているバーナ燃焼装置は、バーナの燃焼口において空気とオイルとを混合して噴霧状態にして爆発燃焼させる方式のものからなる。空気でオイルを噴霧して燃焼する際には空気の圧力調整でオイルの粒子の大きさが決まるが、オイル粒子が燃焼時に瞬間的に気化するため周りの潜熱を奪い、燃焼効率の低下を招く。これを防止するためオイルを加熱する方式が採用されているが、オイルを加熱する装置が必要でありコスト高になる。
なお、蒸気で噴霧燃焼する場合は蒸気熱量が気化潜熱を補って、水の水素分子が水素反応を起こすために比較的安定した高温燃焼ができる。
以上のように従来のオイルバーナ燃焼装置は空気と油を用いるものが主であり、公知技術としても「特許文献１」が一例として挙げられている。
【特許文献１】特開２００２−６１８０８号（図１）
【考案の開示】
【考案が解決しようとする課題】
【０００３】
一般的に空気及び油の燃焼に水を供給することにより高温燃焼になることが知られている。よって、圧縮空気に油と水の混合体をバーナに供給して燃焼すると高温燃焼が可能になる。現在の技術では油と水とを分離しにくい乳液状に反応させて供給しているが、設備コストが高額になる。
本考案はバーナ本体の後側にトルネード旋回流機構を設け、油と水とを螺旋ネジ溝に同時に流して遠心力と両流体の比重差を利用して流れに竜巻的作用を生じさせ混合し、乳液状化させた液体をバーナに直接供給し、燃焼させることにより油，水が瞬間的に気化し爆発燃焼し、水の分子に含まれる水素が、水素反応を起こし高温燃焼させることを利用した簡単で経済的な方法によるものである。
なお、トルネード旋回流機構の中心部にヒータを組み込むことにより、油の粘度も低下し乳液化が促進されると共に、混合自体が加熱され気化潜熱を補い一層の燃焼効果を挙げることができる。
【０００４】
本考案は、以上の事情に鑑みて考案されたものであり、空気と水と油を用いて高温燃焼をするようにし、かつ水と油の混合度合いを向上するためにトルネード機構を用い、かつトルネード機構として簡便なものを採用し、高温燃焼ができて燃焼効率のよいトルネード旋回流を用いたバーナ燃焼装置を提供することを目的とする。
【課題を解決するための手段】
【０００５】
本考案は、以上の目的を達成するために、請求項１の考案は、ロータリ回転機による圧縮空気とこれによって圧出される油と水とを混合してバーナ側に送って燃焼させるバーナ燃焼装置であって、該装置は、前記油と水とをトルネード機構部を介して混合して前記圧縮空気と混合することを特徴とする。
【０００６】
また、請求項２の考案は、前記トルネード機構部が、円筒体の外周に螺旋溝を形成し、該溝に水と油とを導入して混合するものからなることを特徴とする。
【考案の効果】
【０００７】
本考案の請求項１のトルネード旋回流を用いたバーナ燃焼装置によれば、油と水とがトルネード機構部を介して十分に、かつ微細に混合され、この混合体と圧縮空気を混合することができ、高温で効率的なバーナ燃焼を行うことができる。
【０００８】
また、本考案の請求項２のトルネード旋回流を用いたバーナ燃焼装置によれば、トルネード機構部が、円筒体の外周に螺旋溝を形成したものからなり、簡便で安価に実施することができる。
【考案を実施するための最良の形態】
【０００９】
以下、本考案のトルネード旋回流を用いたバーナ燃焼装置の実施の形態を図面を参照して詳述する。
図１は本考案のトルネード旋回流を用いたバーナ燃焼装置１００の全体構成を示す模式的構成図である。
トルネード旋回流を用いたバーナ燃焼装置１００は、大別してロータリ回転機２、水及び油タンク３、トルネード機構部１及びバーナ４等とからなる。
【００１０】
ロータリ回転機２は、公知の構造のものからなり、詳細構造を省略するが多数枚のブレードを放射状に出入自在に保持しているロータリと、この動力としてのモータ５と、これを囲むケーシング及び空気の出入口等とからなり、吸入した空気を圧縮して圧縮空気を形成するものからなる。
このロータリ回転機２には図１に示すように圧縮空気が排出される配管６が連結される。なお、この配管６は分岐してバーナ４に圧縮空気を送る配管６ａと水及び油タンク３側に圧縮空気を送る配管６ｂとになる。また、配管６ｂは更に分岐して水用配管６ｃと油用配管６ｄとなる。
【００１１】
水及び油タンク３は、密閉状のタンク本体３ａと、この内部を仕切る仕切板３ｂとからなり、タンク本体３ａは仕切板３ｂにより水用タンク３ｃと油用タンク３ｄとに分割される。なお、水用タンク３ｃには、水用配管６ｃや水の供給口３ｅや排水口３ｆ及び水の送水管３ｇが夫々連結する。また、油用タンク３ｄには油用配管６ｄや油の供給口３ｈや排油口３ｉや油の送油管３ｊが夫々連結される。
【００１２】
バーナ４は公知の構造からなり、図１に示すようにトルネード機構部１からの油と水との混合管７とロータリ回転機２からの配管６ａとが夫々連結され、先端から火災を放出する構造のものからなる。また、このバーナ４はバーナタイル８により囲まれる。
【００１３】
トルネード機構部１は、水と油を乱流状態で混合するものであればよく、一例として図２に示すものが挙げられる。即ち、図２に示すように外周にねじ溝１ｂを螺刻したトルネード本体１ａと、これを囲む外筒１ｃと、トルネード本体１ａの先端に連結される混合室１ｄとからなり、混合室１ｄには前記の油と水との混合管７が連結される。また、ねじ溝１ｂには送水管３ｇや送油管３ｊが夫々連結される。以上の構造により送水管３ｇや送油管３ｊからの水や油はねじ溝１ｂを通過することにより乱流化及び微細化され粒子となって互いに混合して混合室１ｄ側に送られて混合管７からバーナ４側に送出される。
【００１４】
次に、本考案のトルネード旋回流を用いたバーナ燃焼装置１００によるバーナの燃焼作用について簡単に説明する。モータ５によるロータリ回転機２の回転により、吸入された空気は圧縮空気となって配管６から送出される。この圧縮空気は配管６ａによってバーナ４側に送られると共に配管６ｂにより水及び油タンク３側に送られる。配管６ｂは前記したように水用配管６ｃと油用６ｄに分かれ、水用タンク３ｃと油用タンク３ｄ内の水及び油を圧縮する。これにより、水用タンク３ｃ及び油用タンク３ｄ内の水や油は送水管３ｇや送油管３ｊを介してトルネード機構部１側に送られる。
【００１５】
前記のように、トルネード機構部１において水と油とが混合されて微粒子状となってバーナ４側に送られ、ここで圧縮空気と混合しバーナ４において火災を発生させる。この火災はバーナタイル８を介して放出される。なお、図１に示すように、トルネード機構部１にはこれを加熱する加熱手段９が付加されることにより、水と油との混合度合いをより高めることができる。また、この加熱手段９は図２に示すようにトルネード本体１ａ内に内設したヒータ９ａのごときものであってもよい。
【００１６】
以上のトルネード旋回流を用いたバーナ燃焼装置１００により高温の燃焼ガスが放出されるが、トルネード旋回流を用いたバーナ燃焼装置１００の構造としては以上の説明のものに限定するものではなく、同一技術的範疇のものが適用されることは勿論である。
【産業上の利用可能性】
【００１７】
本考案は、以上の説明のような構成からなるが、ロータリ回転機の種類や構造やその他の主要構成要素の詳細構造については特に限定されるものではなく、その利用範囲は広い。
【図面の簡単な説明】
【００１８】
【図１】本考案のトルネード旋回流を用いたバーナ燃焼装置の全体構成を示す模式的構成図。
【図２】本考案のトルネード旋回流を用いたバーナ燃焼装置に適用されるトルネード機構部の一例を示す軸断面図。
【符号の説明】
【００１９】
１      トルネード機構部
１ａ    トルネード本体
１ｂ    ねじ溝
１ｃ    外筒
１ｄ    混合室
２      ロータリ回転機
３      水及び油タンク
３ａ    タンク本体
３ｂ    仕切板
３ｃ    水用タンク
３ｄ    油用タンク
３ｅ    水の供給口
３ｆ    排水口
３ｇ    送水管
３ｈ    油の供給口
３ｉ    排油口
３ｊ    送油管
４      バーナ
５      モータ
６      配管
６ａ    配管
６ｂ    配管
６ｃ    水用配管
６ｄ    油用配管
７      混合管
８      バーナタイル
９      加熱手段
９ａ    ヒータ
１００  トルネード旋回流を用いたバーナ燃焼装置
【図１】
0003139315.tif 000003
【図２】
0003139315.tif 000004